(57)【要約】【課題】織機分野の職種毎に選択的に製織に関する情報項目の入力を禁止させ入力禁止の情報項目の解除も可能にする。【解決手段】製織に関する情報表示を行う織機の情報表示装置１において、製織に関する情報の内の少なくとも１つの情報項目を選択的に指定すると共に、製織分野における複数の職種の内の少なくとも１つを選択的に指定することにより指定した情報項目について指定した職種を対応させ、以後、指定された情報項目について、対応の職種以外による織機データの入力禁止が設定され、また、入力禁止状態の情報項目を選択的に指定すると共に、前記入力禁止状態の情報項目に対応された職種の内の少なくとも１つを選択的に指定することで、指定した情報項目について指定した職種の対応が解除されることにより、指定した情報項目について織機データの入力禁止が解除される。【選択図】      図１
2004332175.tif 000002
【特許請求の範囲】
【請求項１】
製織に関する情報表示を行う織機の情報表示装置において、製織に関する情報の内の少なくとも１つの情報項目を選択的に指定すると共に、製織分野における複数の職種の内の少なくとも１つを選択的に指定することにより、指定した情報項目について指定した職種を対応させ、以後、指定された情報項目について、対応の職種以外による織機データの入力禁止が設定され、また、入力禁止状態の情報項目を選択的に指定すると共に、前記入力禁止状態の情報項目に対応された職種の内の少なくとも１つを選択的に指定することで、指定した情報項目について指定した職種の対応が解除されることにより、指定した情報項目について織機データの入力禁止が解除されることを特徴とする織機データの入力制限方法。
【請求項２】
織機データの入力禁止の設定後、入力禁止状態の情報項目を常時表示きせることを特徴とする請求項１記載の織機データの入力制限方法。
【請求項３】
織機データの入力禁止の設定後、入力禁止状態の情報項目を非表示にすることを特徴とする請求項１記載の織機データの入力制限方法。
【請求項４】
表示画面を指定することによって、表示画面の複数の情報項目を一括して入力禁止とし、また表示画面を指定することによって、入力禁止とした情報項目について一括して解除を可能とすることを特徴とする請求項１、請求項２または請求項３記載の織機データの入力制限方法。
【請求項５】
表示画面毎に、複数の情報項目を個別に入力禁止とし、また入力禁止とした情報項目について個別に解除を可能とすることを特徴とする請求項１、請求項２または請求項３記載の織機データの入力制限方法。
【請求項６】
表示画面上の複数の情報項目を別の表示画面上で階層表示とし、階層表示状態の情報項目を指定することにより指定した情報項目以下の少なくとも１以上の情報項目を一括して入力禁止とし、また入力禁止とした情報項目を指定することにより指定した情報項目以下の少なくとも１以上の情報項目について一括して解除を可能とすることを特徴とする請求項１、請求項２または請求項３記載の織機データの入力制限方法。
【請求項７】
表示画面上の複数の情報項目を職種の個人毎に指定して入力禁止とし、また個人毎に入力禁止とした情報項目についで解除を可能とすることを特徴とする請求項１、請求項２または請求項３記載の織機データの入力制限方法。
【請求項８】
職種をランク付けし、ランクの指定により表示画面上の複数の情報項目を指定することにより指定した少なくとも１つのランクの情報項目を入力禁止とし、また入力禁止とした少なくとも１つのランクの情報項目をランクを指定することにより解除を可能とすることを特徴とする請求項１、請求項２または請求項３記載の織機データの入力制限方法。
【請求項９】
入力装置と、製織に関する情報表示を行う表示装置と、情報項目に対する織機データの入力禁止の設定、解除を行う表示制御装置とからなる織機の情報表示装置において、入力装置から前記情報項目および職種を選択的に指定してから、入力装置からの入力禁止指令を入力することによって、以後、前記情報項目について前記指定した職種以外を入力しての織機データの入力禁止を設定し、入力装置から入力禁止状態の情報項目および対応する職種を選択的に指定してから、入力禁止解除指令を入力することによって、前記情報項自について指定した職種以外による織機データの入力禁止を解除する禁止項目変更手段を設けたことを特徴とする織機の情報表示装置。
【発明の詳細な説明】
【０００１】
【発明が属する技術分野】
本発明は、製織に関する情報表示を行う織機の情報表示装置において、織機データの入力を禁止し、またその禁止を解除する制限方法に関する。
【０００２】
【従来の技術】
【特許文献１】特開平６−８１２５１号公報
上記特許文献１は、織機の表示装置を開示している。その織機の表示装置は、織機分野の職種毎に表示画面の切り換え手段を有している。製織作業者は、操作パネルの切り換え手段を操作して、自己の作業内容に必要な画面を表示装置により表示させ、織機データの設定を行う。しかし、自己の作業内容以外の情報項目は、入力禁止となっている。
【０００３】
【発明が解決しようとする課題】
上記の技術によると、入力禁止の対象となる情報項目は、織機メーカーに任されていて、変更できない。このため、各織布工場によって各職種毎に担当範囲が異なる場合に、織布工場は、織機メーカーに操作パネルのプログラム変更を依頼しなければならない。
【０００４】
したがって、本発明の目的は、織機分野の職種毎に選択的に製織に関する情報項目の入力を禁止させ、入力禁止の情報項目の解除も可能にすることである。
【０００５】
【課題を解決するための手段】
上記の目的のもとに、本発明の織機データの入力制限方法は、製織に関する情報表示を行う織機の情報表示装置において、製織に関する情報の内の少なくとも１つの情報項目を選択的に指定すると共に、製織分野における複数の職種の内の少なくとも１つを選択的に指定することにより、指定した情報項日について指定した職種を対応させ、以後、指定された情報項目について、対応の職種以外による織機データの入力禁止を設定し、また、入力禁止状態の情報項目を選択的に指定すると共に、前記入力禁止状態の情報項目に対応された職種の内の少なくとも１つを選択的に指定することで、指定した情報項目について指定した職種の対応を解除することにより、指定した情報項目について織機データの入力禁止を解除するようにしている。
【０００６】
また、本発明の織機データの入力制限方法は、入力禁止の情報項目を常時表示または入力禁止の情報項目を非表示にするいずれの場合でも、入力禁止の情報項目について織機データの入力禁止可能である。
【０００７】
本発明の織機データの入力制限方法は、表示画面を指定することによって、表示画面上の複数の情報項目を一括して入力禁止とし、また入力禁止とした情報項目について一括して解除を可能とするか、表示画面を指定することによって、表示画面上の複数の情報項目を個別に入力禁止とし、また入力禁止とした情報項目について個別に解除を可能とする。
【０００８】
本発明の織機データの入力制限方法は、表示画面上の複数の情報項目を別の表示画面上で階層表示とし、階層表示状態の情報項目を指定することにより指定した情報項目以下の少なくとも１以上の情報項目を一括して入力禁止とし、また入力禁止とした情報項目を指定することにより指定した情報項目以下の少なくとも１以上の情報項目について一括して解除を可能とする。
【０００９】
本発明の織機データの入力制限方法は、表示画面上の複数の情報項目を職種の個人毎に指定して入力禁止とし、また個人毎に入力禁止とした情報項目について解除を可能とするか、または職種をランク付けし、ランクの指定により表示画面上の複数の情報項目を指定することにより指定した少なくとも１つのランクの情報項目を入力禁止とし、また入力禁止とした少なくとも１つのランクの情報項目をランクを指定することにより解除を可能としている。
【００１０】
そして、本発明の織機の情報表示装置は、入力装置と、製織に関する情報表示を行う表示装置と、情報項目に対する織機データの入力禁止の設定、解除を行う表示制御装置とからなる織機の情報表示装置において、入力装置から前記情報項目および職種を選択的に指定してから、入力装置からの入力禁止指令を入力することによって、以後、前記情報項目について前記指定した職種以外を入力しての織機データの入力禁止を設定し、入力装置から入力禁止状態の情報項目および対応する職種を選択的に指定してから、入力禁止解除指令を入力することにより、前記情報項自について指定した職種以外による織機データの入力禁止を解除する禁止項目変更手段を有し、禁止項目変更手段の機能によって上記の織機データの入力制限方法を実行する。
【００１１】
【発明の実施の形態】
図１は、本発明の方法を実現するための織機の情報表示装置１を示している。織機の情報表示装置１は、１台または２台以上の織機９に対応して入力装置２、表示制御装置３および表示装置４からなる。
【００１２】
入力装置２は、入力者の情報を入力するために、ユーザの認証カード５やユーザ固有のパスワードの入力用カードリーダ、製織に関する情報すなわち製織条件データその他の織機データを入力するために、データ入力用キーボード、マウスまたはそれらの組み合わせ装置からなる。なお、この例で、表示装置４は、タッチパネル方式となっており、そのタッチパネル式表示面（パネル部）は、入力装置２の一部を構成している。
【００１３】
また、表示制御装置３は、入力装置２、表示装置４および織機９に接続されており、内部にメモリ６、禁止項目変更器７およびＣＰＵ８を有している。メモリ６は、入力者の情報、製織に関する情報すなわち製織条件データその他の織機データを記憶するとともに、製織に関する情報を表示装置４により表示させる表示プログラムを記憶する。ここで、製織に関する情報とは、複数の情報項目からなる。
【００１４】
禁止項目変更器７は、表示プログラムにより製織に関する情報を表示装置４により表示させる際に、織機データの入力を制限するために、入力装置２から前記情報項目および前記職種を選択的に指定し、入力装置２からの入力禁止指令を入力することによって、以後、前記情報項目について前記指定した職種以外を入力しての織機データの入力禁止を設定し、必要に応じて、入力義置２から入力禁止状態の情報項目および対応する職種を選択的に指定し、入力禁止解除指令を入力することによって、前記情報項目について指定した者以外による織機データの入力禁止を解除する。
【００１５】
製織分野の職種とは、製織工場に携わる人をいう。例えば管理者（Ｍａｎａｇｅｒ）、監督者（Ｓｕｐｅｒｖｉｓｏｒ）、保全者（Ｆｉｘｅｒ）、切卸し者（Ｄｏｆｆｅｒ）、織工（Ｗｅａｖｅｒ）があり、通常、これらの者は、管理上、職種レベルを形成し、記載順序で前方が上位レベル（ランク）であり、下方が下位レベル（ランク）である。このようにして職種をランク付けしている。あるレベルの者は、同位レベルの者により設定された織機データおよびそれより下位レベルの者により設定された織機データを確認できるが、上位レベルの者により設定された織機データを同位レベルを含む下位レベルの者には確認できないようになっている。このため、最上位レベルの者は、すべての者により設定された織機データを確認できるが、最下位レベルの者は、同位レベルの者により設定された織機データしか確認できないようになっている。ここで確認とは、織機データを表示・設定できることも含む。
【００１６】
次に図２は、表示装置４により表示される緯入れコントロール（Ｆｉｌｌｉｎｇ  Ｃｏｎｔｒｏｌ）の画面の例を示す。このタッチパネル方式の画面で、入力者が設定キー１０をタッチすると、画面は、緯入れコントロール（ＦｉｌｌｉｎｇＣｏｎｔｒｏｌ）の画面になる。この画面で、Ｃ１、Ｃ２、・・Ｃ８は、緯糸の種類（糸種）を表し、これらの糸種毎に緯入れ開始タイミング（Ｉｎｓｅｒｔｉｏｎｓｔａｒｔ  ｔｉｍｉｎｇ）角度の設定、緯入れ制御モード（ＡＪＣ  ｍｏｄｅ）の設定、緯糸到達（Ａｒｒｉｖａｌ  ｓｅｔ）角度の設定、パルス噴射停止（Ｐｕｌｓｅ  ｔｏ  ｓｔｏｐ  ｊｅｔｔｉｎｇ）角度の設定、サブノズル動作（Ｓｕｂ  Ｂａｃｋｕｐ）の有無の設定ができるようになっている。
【００１７】
図３は、画面に保護レベル（Ｓｅｃｕｒｉｔｙ  ｌｅｖｅｌ）の設定窓を表示させた状態を示している。なお、図２および図３の画面の上下左欄には、設定キー１０の他に、保護キー（Ｓｅｃｕｒｅ）２６、呼出しキー１１、言語切替えキー１２、コントラスト調整キー１３、ログオンキー１４、稼働報キー１５、カウンターキー１６、保全キー１７、緯糸操作キー１８、緯入れコントロールキー１９、メインノズルキー２０、サブノズルキー２１、飛走曲線キー２２、モニターキー２３、上位画面戻りキー２４、コピーキー２５などが表示されている。これらのキーは、緯入れコントロール（Ｆｉｌｌｉｎｇ  Ｃｏｎｔｒｏｌ）画面のほか、すべての画面上で表示される。
【００１８】
さて、本発明の織機データの入力制限方法は、上記の織機の情報表示装置１において、製織に関する情報の内の少なくとも１つの情報項目を選択的に指定すると共に、製織分野における複数の職種の内の少なくとも１つを選択的に指定することによって、指定した情報項目について、指定した職種を対応させ、以後、指定された情報項目について、対応の職種以外による織機データの入力禁止を設定し、また、入力禁止状態の情報項目を選択的に指定すると共に、前記入力禁止状態の情報項目に対応された職種の内の少なくとも１つを選択的に指定することで指定した情報項目について指定した職種の対応を解除することにより、指定した情報項目について織機データの入力禁止を解除するようにしている。
【００１９】
織機の情報表示装置１において、例えば緯入れに関する情報項目について対応の職種以外の者によるデータの入力禁止を設定するデータの入力禁止を設定するときに、入力者例えば管理者（Ｍａｎａｇｅｒ）は、自己の認証カード５を入力装置２に挿入し、自己および自己のレベルを認識させてから、図２の画面上で設定キー１０をタッチし、つぎに緯入れコントロールキー１９をタッチして、表示装置４に緯入れコントロール（Ｆｉｌｌｉｎｇ  Ｃｏｎｔｒｏｌ）画面を表示させる。ここで、自己および自己レベルの認識は、認証カード５でなく、入力装置２からパスワードを入力することによって行ってもよい。
【００２０】
つぎに、監督者（Ｓｕｐｅｒｖｉｓｏｒ）は、保護キー（Ｓｅｃｕｒｅ）２６をタッチし、画面に図３のように保護レベル（Ｓｅｃｕｒｉｔｙ  ｌｅｖｅｌ）の設定窓を表示させる。このとき表示制御装置３は、現在の入力者のレベルを判断し、保護レベル（Ｓｅｃｕｒｉｔｙ  ｌｅｖｅｌ）の設定窓を表示するとともに、設定窓の内部に同位レベルの管理者（Ｍａｎａｇｅｒ）、下位レベルの監督者（Ｓｕｐｅｒｖｉｓｏｒ）以下の保全者（Ｆｉｘｅｒ）、切卸し者（Ｄｏｆｆｅｒ）、織工（Ｗｅａｖｅｒ）のボタンを表示する。ここで管理者（Ｍａｎａｇｅｒ）は、画面上で例えば「Ｓｕｐｅｒｖｉｓｏｒ」のボタンをタッチし、オンの状態にすると、禁止項目変更器７は、緯入れコントロール（ＦｉｌｌｉｎｇＣｏｎｔｒｏｌ）画面でのすべての情報項目の監督者（Ｓｕｐｅｒｖｉｓｏｒ）レベル以下の者による緯入れデータの入力や緯入れデータの変更を禁止する。この設定窓は、窓内の「Ｃｌｏｓｅ」のボタンをタッチすることによって消去できる。「Ｃｌｏｓｅ」などのボタン操作は、入力装置２にマウスが付属しているとき、それをクリックすることにより行ってもよい。
【００２１】
この結果、これ以降、管理者（Ｍａｎａｇｅｒ）や、監督者（Ｓｕｐｅｒｖｉｓｏｒ）は、自己の認証カード５を挿入することによって、緯入れデータの入力や緯入れデータの変更を可能となるが、監督者（Ｓｕｐｅｒｖｉｓｏｒ）より下のレベルの者すなわち保全者（Ｆｉｘｅｒ）や、切卸し者（Ｄｏｆｆｅｒ）、織工（Ｗｅａｖｅｒ）は、自己の認証カード５を挿入しても、緯入れコントロール（Ｆｉｌｌｉｎｇ  Ｃｏｎｔｒｏｌ）の設定画面において、緯入れデータの入力や緯入れデータの変更をできなくなる。
【００２２】
なお、入力禁止の解除は、保護レベル（Ｓｅｃｕｒｉｔｙ  ｌｅｖｅｌ）の設定窓を表示し、設定窓内に表示されている「Ｓｕｐｅｒｖｉｓｏｒ」のボタンをタッチし、オフの状態に設定することにより行う。この解除は、禁止項目変更器７により行われる。また、特別なレベルを定め、その特別なレベルの者のみが情報項目の入力禁止の設定、解除を可能とすることもできる。ちなみに、ランクによる入力禁止ではなく、職種の個別指定による入力禁止を設定、解除する場合、指定した情報項目に複数の職種が対応している時に、その対応する職種の内の少なくとも１つを指定することによって、職種の対応が解除されることにより、指定した情報項目について一部の職種のみを入力禁止状態にしてもよい。すなわち指定した情報項目にＡ、Ｂの２つの職種が対応しているとして、Ｂを指定して職種の対応が解除されると、Ａの職種のみ対応することになるので、指定した情報項目についてＢの職種については入力可能になるが、Ａの職種については入力禁止になるということである。
【００２３】
入力禁止は、入力禁止の情報項目を表示しているが、入力禁止の情報項目を選択しても不作動にするか、入力しようとするとエラー表示するかして、入力禁止の情報項目についてデータの入力を実質的にできなくするか、または入力禁止の情報項目を表示しないことにより、入力禁止の情報項目についてデータの入力をできなくすることにより行われる。
【００２４】
なお、入力禁止の操作（設定）は、表示画面を指定することによって、表示画面上の複数の情報項目を一括して入力禁止とし、また表示画面を指定することによって、入力禁止とした情報項目について一括して解除を可能とするか、または表示画面毎に、複数の情報項目を個別に指定から保護レベルの設定窓で指定することにより入力禁止とし、また入力禁止とした情報項目について個別に指定して解除を可能とする。
【００２５】
ちなみに入力禁止の設定は、図４のように複数の情報項目Ａ（ａ１、ａ２）、Ｂ（ｂ１、ｂ２）、Ｃ（ｃ１、ｃ２）を階層構造とし、複数の表示画面上の複数の情報項目を別の表示画面上で階層表示とし、階層表示状態の情報項目を指定することにより指定した情報項目以下の階層の情報項目を一括して入力禁止とし、また入力禁止の解除は、入力禁止とした情報項目を指定することにより指定した情報項目以下の階層の情報項目のについて一括して解除を可能とすることもできる。階層表示とする別の表示画面は、通常、表示画面を分割し、一方の表示画面を複数の情報項目を表示する画面とし、他方の表示画面を階層構造を表示する画面とする。なお、階層表示の場合でも、情報項目を個別に指定することが可能である。
【００２６】
また、入力禁止の設定・解除は、表示画面上の複数の情報項目を職種の個人毎に指定して行うこともできる。さらに、職種をランク付けし、ランクの指定により表示画面上の複数の情報項目を指定することにより指定したランクの情報項目を入力禁止とし、また入力禁止とした情報項目をランクを指定することにより解除を可能とすることもできる。
【００２７】
各情報項目について、設定した各ランクに対応した色表示またはマーク表示を行つてもよい。このようにすれば、自分のランクに対して設定可能な情報項目であるかが視覚的に分かりやすくなる。また、入力禁止設定情報をメモリカードあるいは通信経由で他の織機にコピー可能としてもよい。このようにすれば、複数の織機に対して個別に同じ設定を行う作業が簡素化きれる。
【００２８】
このように、織機の情報表示装置１は、製織に関する情報表示を行うときに、指定した情報項目に対して対応する職種に応じて入力禁止および入力許可を指令する禁止項目変更手段として禁止項目変更器７を有しているから、ユーザーは、織機メーカーに表示プログラムの変更を依頼しなくても、織布工場内で容易に情報項目の入力禁止を設定し、またその設定を解除できる。
【００２９】
【発明の効果】
請求項１の織機データの入力制限方法によれば、製織に関する情報表示を行う織機の情報表示装置において、製織に関する情報の内の少なくとも１つの情報項目を選択的に指定すると共に、製織分野における複数の職種の内の少なくとも１つを選択的に指定することにより、指定した情報項目について指定した職種を対応させ、以後、指定された情報項目について、対応の職種以外による織機データの入力禁止を設定し、また入力禁止状態の情報項目を選択的に指定すると共に、前記入力禁止状態の情報項目に対応された職種の内の少なくとも１つを選択的に指定することで、指定した情報項目について指定した職種の対応を解除されることにより、指定した情報項目について織機データの入力禁止の解除を可能とするから、ユーザーは、織機メーカーに表示プログラムの変更を依頼しなくても、織布工場内で容易に情報項目の入力禁止を設定し、またその設定を解除できる。これにより織機分野の職種毎に、製織に関して表示すべき複数の情報項目の自由度が高められる。
【００３０】
請求項２の織機データの入力制限方法によれば、入力禁止の情報項目についてデータの入力をできなくしているが、入力禁止の情報項目を常時表示しているから、入力禁止の情報項目の内容を確認できる。
【００３１】
請求項３の織機データの入力制限方法によれば、入力禁止の情報項目を非表示にするから、表示している情報項目の存在から入力可能な情報項目が容易に確認でき、しかも入力禁止の情報項目についての誤った入力操作が防止できる。
【００３２】
請求項４の織機データの入力制限方法によれば、表示画面を指定することによって、表示画面上の複数の情報項目を一括して入力禁止とし、また、表示画面を指定することによって、入力禁止とした情報項目について一括して解除を可能とするから、複数の情報項目についての入力禁止の設定・解除が一度にできる。
【００３３】
請求項５の織機データの入力制限方法によれば、表示画面上毎に複数の情報項目を個別に入力禁止とし、また入力禁止とした情報項目について個別に解除を可能とするから、情報項目ごとに細かな設定ができる。
【００３４】
請求項６の織機データの入力制限方法によれば、表示画面上の複数の情報項目を別の表示画面上で階層表示とし、階層表示状態の情報項目を指定することにより、指定した情報項目以下の少なくとも１以上の情報項目を一括して入力禁止とし、また入力禁止とした情報項目を指定することにより、指定した情報項目以下の少なくとも１以上の情報項目のについて一括して解除を可能とするから、階層表示により入力禁止・解除の階層域が視覚的に容易に認識できる。
【００３５】
請求項７の織機データの入力制限方法によれば、表示画面上の複数の情報項目を職種の個人毎に指定して入力禁止または解除可能とするから、職種の個人毎の入力禁止・解除の設定ができ、個人の役割に適合した織機データの設定が可能となる。
【００３６】
請求項８の織機データの入力制限方法によれば、ランクの指定により表示画面上の複数の情報項目の入力禁止・解除を可能とするから、ランクの導入により入力制限ができる。
【００３７】
請求項９の織機の情報表示装置によれば、指定した情報項目に対して対応する職種に応じて入力禁止および入力許可を指令する禁止項目変更手段を設けたから禁止項目変更手段のプログラムの実行により、上記の織機データの入力制限方法を実現することができる。
【図面の簡単な説明】
【図１】織機の情報表示装置のブロック線図である。
【図２】織機の情報項目の表示画面の一例として緯入れコントロールの表示画面の説明図である。
【図３】織機の情報項目の表示画面の一例として緯入れコントロールの表示画面に保護レベル（Ｓｅｃｕｒｉｔｙ  ｌｅｖｅｌ）の設定窓を表示させた状態の説明図である。
【図４】階層表示画面の説明図である。
【符号の説明】
１  織機の情報表示装置
２  入力装置
３  表示制御装置
４  表示装置
５  認証カード
６  メモリ
７  禁止項目変更器
８  ＣＰＵ
９  織機
１０  設定キー
１１  呼出しキー
１２  言語切替えキー
１３  コントラスト調整キー
１４  ログオンキー
１５  稼働報キー
１６  カウンターキー
１７  保全キー
１８  緯糸操作キー
１９  緯入れコントロールキー
２０  メインノズルキー
２１  サブノズルキー
２２  飛走曲線キー
２３  モニターキー
２４  上位画面戻りキー
２５  コピーキー
２６  保護キー
【図１】
2004332175.tif 000003
【図２】
2004332175.tif 000004
【図３】
2004332175.tif 000005
【図４】
2004332175.tif 000006